(57)【要約】      （修正有）【課題】吊ケーブルの押込み部として構築構造物に斜め交差状に固定される定着用パイプを構築構造物上に設けた反力手段で固定構造物上から定着用パイプに吊ケーブルの押込みが行なえるようにする。【解決手段】構築構造物Ｂ桁エッジから斜め上方に露出する定着用パイプｂ部分に取付た取付座ｂ１と、反力付与部１３とをテンションロッド２３で連結して構成されている反力手段３の反力を利用して押込みチャック５を押込みシリンダ２の係合部１２に係合した状態で、ストローク手段４を作動させてその押込みシリンダ２所定距離定着用パイプｂに押し込んだ後、反力付与部１３で移動不能とされる盛り替えチャック６を係合部１２に係合させ、押込みチャック５を開放して盛り替え、この押込みと両チャック５、６による係脱の盛り替え動作を吊ケーブルＣの先端に設けたソケットｃ１が定着用パイプｂ先端から突出するまで繰り返し、押し込む。【選択図】図４
2006125094.tif 000002
【特許請求の範囲】
【請求項１】
構築構造物に斜め交差状に固定される定着用パイプ内に、固定構造物に対して緊張架設される吊ケーブルを押込み掛け止めして、固定構造物に吊ケーブルを介して構築構造物を吊持する吊ケーブルの押込み方法であって、
前記構築構造物上方の定着用パイプ部分と、同構築構造物上方における定着用パイプの延長上の位置に配置した反力付与部とをテンションロッドで連結して反力手段を構成し、軸方向所定間隔をおいて係合部を形成して吊ケーブルに被着される押込みシリンダのその係合部に押込みチャックを係合させて吊ケーブルを前記定着用パイプ内に前記反力手段の反力を利用してストローク手段で所定距離押し込んだ後、反力付与部で移動不能とされる盛り替えチャックを前記係合部に係合させ押込みチャックを開放して盛り替え、この押込みと両チャックによる係脱の盛り替え動作を前記吊ケーブルの先端に設けたソケットが前記定着用パイプ先端から突出するまで繰り返し、しかる後、吊ケーブルの戻りを防止する戻り防止座をソケットと定着用パイプとの間に介在すると共に張力調整用プレートを介在することを特徴とする吊ケーブルの押込み方法。
【請求項２】
前記押込みシリンダはその上端に解除可能な吊ケーブル固定手段を有し、その吊ケーブル固定手段での吊ケーブルの固定時に前記戻り防止座、張力調整用プレートを介在した押込み掛け止め後の吊ケーブルを所定の引き力で振動させて、その振幅で吊ケーブルの張力を測定し、その測定値が所定よりも低い時に介在する張力調整用プレートを増やし、所定よりも高い時にその張力調整用プレートを抜取って張力調整用プレートの介在枚数を調整することを特徴とする請求項１記載の吊ケーブルの押込み方法。
【請求項３】
構築構造物に斜め交差状に固定される定着用パイプ内に、固定構造物に対して緊張架設される吊ケーブルを押込む吊ケーブルの押込み装置であって、構築構造物上方の定着用パイプに取り付けた取付座と前記定着用パイプの延長上の位置に配置された反力付与部とをテンションロッドで連結した反力手段と、先端にソケットを設けた吊ケーブルに被着され軸方向に係合部を所定間隔をおいて形成した押込みシリンダと、該押込みシリンダの前記係合部に係合する係脱可能な押込みチャックと、前記押込みチャックが係合部に係合している時にその押込みチャックを前記反力手段の反力を利用して所定距離押込む押込みチャック用のストローク手段と、前記反力付与部で移動不能され押込みチャックが係合部と係合を解除している時に係合部に係合する係脱可能な盛り替えチャックとを備えていることを特徴とする吊ケーブルの押込み装置。
【請求項４】
構築構造物に斜め交差状に固定される定着用パイプ内に、固定構造物に対して緊張架設される吊ケーブルを押込む吊ケーブルの押込み装置であって、構築構造物に前記定着用パイプに対して接近・離間可能に走行する支持架台と、構築構造物上方の定着用パイプに取り付けた取付座と前記定着用パイプの延長上の位置に配置された反力付与部とをテンションロッドでその反力付与部を位置調整可能に連結した反力手段と、先端にソケットを設けた吊ケーブルに被着され軸方向に係合部を所定間隔をおいて形成した押込みシリンダと、前記押込みシリンダの前記係合部に係合する係脱可能な押込みチャックと、該押込みチャックが係合部との係合を解除している時に係合部に係合する係脱可能な盛り替えチャックと、前記押込みチャックが係合部に係合している時にその押込みチャックを前記反力手段の反力を利用して所定距離押込む押込みチャック用のストローク手段とを備え、前記支持架台は、脚座と、その脚座に前記定着用パイプの延長線上に沿うように上下回動角度調整可能に設けられた台本体と、その台本体に沿ってスイング量調整可能、左右移動量調整可能、上下移動量調整可能に設けられた支持体とを有し、前記盛り替えチャック支持手段を、前記反力付与部で移動不能とされる態様で支持体に取付けると共に、ストローク手段のストロークで往復動する押し込みチャック支持手段を、前記支持体にスライド可能に係合していることを特徴とする吊ケーブルの押込み装置。
【発明の詳細な説明】
【技術分野】
【０００１】
本発明は、固定構造物に吊ケーブルで構築構造物を吊持する際にその吊ケーブルを押込み固定する吊ケーブルの押込み方法及び押込み装置、更に詳しくは、固定構造物である塔に対して構築構造物である吊橋を吊ケーブルで吊持したり、固定構造物である塔に対して構築構造物である屋根材を吊ケーブルで吊持したりする時等に汎用的に利用される構築構造物に対する吊ケーブルの押込み方法及び押込み装置に関するものである。
【背景技術】
【０００２】
従来、吊ケーブルの押込み方法は、固定構造物に対して構築構造物を吊ケーブルで吊持するに際して、構築構造物に固定された支持架台と、先端にソケットを設けた吊ケーブルに被着され軸方向に係合部が所定間隔をおいて形成された押込みシリンダと、前記支持架台を反力部として前記吊ケーブルを所定距離押込むジャッキ手段と、押込みシリンダの係合部に係合してそのジャッキ装置での押込み時に押動される係脱可能な押込みチャックと、前記支持架台に移動不能に支持され前記押込みチャックを解放している時に係合部に係合する係脱可能な盛り替えチャックとを備えたものが知られている（例えば、特許文献１）。
この特許文献１は、押込みチャックを押込みシリンダの係合部に係合させた状態でジャッキ手段を作動させて吊ケーブルを所定距離押込んだ後、盛り替えチャックを前記係合部に係合させ押込みチャックを開放して盛り替え、この押込みと両チャックによる係脱の盛り替え動作を前記吊ケーブルの先端に設けたソケットが構築構造物内のブラケットから突出するまで繰り返すようになっている。
そして、そのブラケットからソケットが突出した時点で吊ケーブルの戻りをソケットとブラケットとの間に掛け止めされた戻り防止座で防止するようになっている。
【０００３】
ところで、この特許文献１は、ジャッキ手段を、構築構造物内のブラケットに後端を連結するテンションロッドの先端に連結して反力手段とし、その反力手段の反力を利用して押込みシリンダを押し込み、構築構造物内の作業空間で吊ケーブル先端のソケットとブラケットとの間に戻り防止座を差し込み掛止するようになっている。
しかしながら、構築構造物には、前記するようなブラケットの代わりに、構築構造物に斜め交差状に固定された定着用パイプが存在するだけの場合も往々にしてある。
構築構造物に使用される二面ケーブルもその一例として挙げることができる。
この定着用パイプは前記押込みシリンダを押込むものであるため、テンションロッドを挿入固定することはできず、反力手段を工夫する必要がある。
これに対処するためには、構築構造物の下方に足場を構築しラムチェアー、ジャッキ装置を設置して前記押込みシリンダを引き込むことになるが、大掛かりになるばかりでなく、高所であるため、非常に危険でもあった。
そして、吊ケーブル押込みが完了すると、押込み装置は撤去されるが、その作業が面倒且つ危険なものになってしまう。
【特許文献１】特開２００１−３４２６１０号公報
【発明の開示】
【発明が解決しようとする課題】
【０００４】
本発明は上記従来事情に鑑みてなされたもので、その目的とする処は、吊ケーブルの押込み部（引込み部）として構築構造物に斜め交差状に固定される定着用パイプに構築構造物上に設けた反力手段で定着用パイプに吊ケーブルの押込みが行なえる安全な吊ケーブルの押込み方法及びその押込み方法の実施に直接使用する押込み装置を提供することにある。
他の目的とする処は、定着用パイプの中心線上から吊ケーブルが優れた直進性をもって押込みされ、押込み作業の安全性を向上させ、押込み時間の短縮にも寄与できる同押込み装置を提供することにある。
【課題を解決するための手段】
【０００５】
前記課題を解決するために講じた技術的手段は、方法は、構築構造物に斜め交差状に固定される定着用パイプ内に、固定構造物に対して緊張架設される吊ケーブルを押込み掛け止めして、固定構造物に吊ケーブルを介して構築構造物を吊持する吊ケーブルの押込み方法であって、
前記構築構造物上方の定着用パイプ部分と、同構築構造物上方における定着用パイプの延長上の位置に配置した反力付与部とをテンションロッドで連結して反力手段を構成し、軸方向所定間隔をおいて係合部を形成して吊ケーブルに被着される押込みシリンダのその係合部に押込みチャックを係合させて吊ケーブルを前記定着用パイプ内に前記反力手段の反力を利用してストローク手段で所定距離押し込んだ後、反力付与部で移動不能とされる盛り替えチャックを前記係合部に係合させ押込みチャックを開放して盛り替え、この押込みと両チャックによる係脱の盛り替え動作を前記吊ケーブルの先端に設けたソケットが前記定着用パイプ先端から突出するまで繰り返し、しかる後、吊ケーブルの戻りを防止する戻り防止座をソケットと定着用パイプとの間に介在すると共に張力調整用プレートを介在することを特徴とする吊ケーブルの押込み方法である（請求項１）。
【０００６】
以上の手段によれば、押込みシリンダの定着用パイプ内への押込みは、構築構造物上方の定着用パイプ部分と、同構築構造物上方における定着用パイプの延長上の位置に配置した反力付与部とをテンションロッドで連結して構成された反力手段の反力で行なわせ、またその盛り替えは、反力付与部で移動不能とされる盛り替えチャックで行なわせる。
【０００７】
そして、押込みシリンダはその上端に解除可能な吊ケーブル固定手段を有し、その吊ケーブル固定手段での吊ケーブルの固定時に前記戻り防止座、張力調整用プレートを介在した押込み掛け止め後の吊ケーブルを所定の引き力で振動させて、その振幅で吊ケーブルの張力を測定し、その測定値が所定よりも低い時に介在する張力調整用プレートを増やし、所定よりも高い時にその張力調整用プレートを抜取って張力調整用プレートの介在枚数を調整するようにすると好適なものである（請求項２）。
吊ケーブルの押込み掛止時のその吊ケーブルの所定の張力の設定は振動法を用いて行なわれる。
この振動法は、戻り防止座、張力調整用プレートを介在した吊ケーブルに、固定建築物との距離に見合った引き力を掛けて、その振幅で吊ケーブルの張力を測定し、その測定量が所定となるように介在する張力調整用プレートを増やしたり、減らしたりして張力を修正する。
その際、その吊ケーブルに不安定な振動が生じると、正確な振幅が発生せず、信頼性のある張力を測定できない。
押込みシリンダ内の吊ケーブルは押込みシリンダで包皮されてはいるものの、被着されただけであるし、定着用パイプ内面に干渉するので、押込み掛け止め後にケーブルに引き力を掛けると、不安定な振動が生じ、精度のある張力を測定できない問題があった。
その故、押込みシリンダの上端に解除可能な吊ケーブル固定手段を設けて、その吊ケーブル固定手段下位の吊ケーブルに張力測定時の引き力が作用しないように吊ケーブルを固定した状態で、吊ケーブル固定手段と固定建築物との間の距離から算出される所定の引き力でケーブルを振動させて、その振幅で吊ケーブルの張力を測定し、その張力が所定以下の場合に張力調整用プレートを増やし、逆にその張力が所定以上の場合に張力調整用プレートを抜き取り減らして、吊ケーブルを所定の張力に修正する。
【０００８】
その方法に直接使用する装置は、構築構造物に斜め交差状に固定される定着用パイプ内に、固定構造物に対して緊張架設される吊ケーブルを押込む吊ケーブルの押込み装置であって、構築構造物上方の定着用パイプに取り付けた取付座と前記定着用パイプの延長上の位置に配置された反力付与部とをテンションロッドで連結した反力手段と、先端にソケットを設けた吊ケーブルに被着され軸方向に係合部を所定間隔をおいて形成した押込みシリンダと、該押込みシリンダの前記係合部に係合する係脱可能な押込みチャックと、前記押込みチャックが係合部に係合している時にその押込みチャックを前記反力手段の反力を利用して所定距離押込む押込みチャック用のストローク手段と、前記反力付与部で移動不能とされ押込みチャックが係合部と係合を解除している時に係合部に係合する係脱可能な盛り替えチャックとを備えていることである（請求項３）。
好ましくは、構築構造物に斜め交差状に固定される定着用パイプ内に、固定構造物に対して緊張架設される吊ケーブルを押込む吊ケーブルの押込み装置であって、構築構造物に前記定着用パイプに対して接近・離間可能に走行する支持架台と、構築構造物上方の定着用パイプに取り付けた取付座と前記定着用パイプの延長上の位置に配置された反力付与部とをテンションロッドでその反力付与部を位置調整可能に連結した反力手段と、先端にソケットを設けた吊ケーブルに被着され軸方向に係合部を所定間隔をおいて形成した押込みシリンダと、前記押込みシリンダの前記係合部に係合する係脱可能な押込みチャックと、該押込みチャックが係合部との係合を解除している時に係合部に係合する係脱可能な盛り替えチャックと、前記押込みチャックが係合部に係合している時にその押込みチャックを前記反力手段の反力を利用して所定距離押込む押込みチャック用のストローク手段とを備え、前記支持架台は、脚座と、その脚座に前記定着用パイプの延長線上に沿うように上下回動角度調整可能に設けられた台本体と、その台本体に沿ってスイング量調整可能、左右移動量調整可能、上下移動量調整可能に設けられた支持体とを有し、前記盛り替えチャック支持手段を、前記反力付与部で移動不能される態様で支持体に取着すると共に、ストローク手段のストロークで往復動する押し込みチャック支持手段を、前記支持体にスライド可能に係合していると、最適なものである（請求項４）。
【０００９】
以上の手段によれば、支持架台において、定着用パイプの延長線上に沿うように上下回動角度調整可能に設けられた台本体に沿ってスイング量調整可能、左右移動量調整可能、上下移動量調整可能に設けられた支持体に盛り替えチャック支持手段を反力付与部で移動不能とされる態様で支持し、ストローク手段のストロークで往復動する押し込みチャック支持手段を、その支持体にスライド可能に係合して、現場毎に異なる定着用パイプの交差角度（仰角）、その定着用パイプの左右方向の振れ角誤差（鉛直方向に対する左右方向の傾斜誤差）や支持架台自体の移動走行位置誤差、押込みシリンダの係合部に対する押込みチャック、盛り替えチャックを位置誤差等に対応して、吊ケーブルを定着用パイプの中心線上から直進性をもって定着用パイプに押込ませる。
【発明の効果】
【００１０】
（請求項１、３）構築構造物に斜め交差状に固定されている定着用パイプに吊ケーブルを押込み掛け止めするに際して、固定構造物上方から吊ケーブルの押し込みが行なえる。
従って、従来のように構築構造物の下方に足場を設けてラムチェアー、ジャッキ装置を設置して反力を取りつつ、吊ケーブルの押込みに対処するように大掛かりにならないし、戻り防止座をソケットに掛け止めするだけで良く、安全であるし、撤去に際しても構築構造物上で行なえる。
（請求項２）その上、押込み掛止時の吊ケーブルの張力を振動法（ケーブルを所定の引き力で振動させて、その振幅でケーブルの張力を測定する方法）で測定して、所定の張力に正確に修正して吊ケーブルを押込み係止できる。
（請求項４）しかも、定着用パイプの構築構造物に対する交差角度や定着用パイプが鉛直方向に対して左右方向に傾斜している時にも対応して、定着用パイプに喰い込んだりすることなく押込みシリンダを押込みでき、押込み作業の向上と共に、押込み時間も短縮できる。
その上、その支持体は、上下移動量調整可能にしてあるので、微調整して押込みシリンダの係合部に対して押込みチャック、盛り替えチャックを係合可能に調整することができる。しかも高い位置や低い位置から吊ケーブルの押込みを開始することが可能であり、定着用パイプから上方に突出する押込みシリンダの突出長さに対応できる自在性をも兼備できる。
【発明を実施するための最良の形態】
【００１１】
本発明は、吊ケーブルで吊橋、屋根、道路、鉄橋等の一般構造物、建築構造物を含む構築構造物を固定構造物に吊持する吊ケーブルの押込み方法及び押込み装置である。本実施の形態では、固定構造物である塔に対して構築構造物である吊橋を吊ケーブルで吊持する吊ケーブルの押込み方法及び押込み装置を図１〜図１１に示す押込み装置の実施例に基づいて説明する。
【実施例１】
【００１２】
各図において、符号Ａは、その押込み装置である。
この押込み装置Ａは、塔（固定構造物）に対して吊橋（構築構造物）Ｂが二面吊ケーブルで吊持される時のその吊ケーブルの押込み装置を示している。
押込み装置Ａは、図１〜図４等に示すように支持架台１、押込みシリンダ２、反力手段３、ストローク手段４、押込みチャック５、盛り替えチャック６、押込みチャック支持手段５ａ、盛り替えチャック支持手段１３ａ等を備えている。
【００１３】
前記支持架台１は、図１、図２、図４等に示すように、吊橋Ｂの桁エッジに斜め交差状に固定されている定着用パイプｂの前方位置まで吊橋Ｂに敷設されたレールＬを走行可能になっており、脚座１１に対して台本体２１を前記定着用パイプｂの延長線に沿うように上下回動角度調整可能とし、その台本体２１に沿って下向きに直線状の支持体３１が設けられている。
そして、支持体３１の上位側に、ストローク手段４を取付けた盛り替えチャック支持手段（盛り替え梁）１３ａが取着され、下位側に押込みチャックの支持手段（押込み梁）５ａがスライド可能に係合されている。
【００１４】
前記反力手段３は図２、図４等に示すように、定着用パイプｂにおける吊橋Ｂ上方の上端（後端）部分に取付けられた取付座ｂ１と、定着用パイプｂの延長線上に配置した反力付与部１３（反力梁）とに亘ってテンションロッド２３を連結して構成されており、その反力付与部１３は、テンションロッド２３の長さ方向に対して位置調整可能になっている。
【００１５】
前記反力付与部１３における定着用パイプｂの上端（後端）と正対する側の面とは逆側の面には図４等に示すように盛り替えチャック支持手段１３ａが配置され、図４に示すようにその盛り替えチャック支持手段１３ａには、定着用パイプｂの上端（後端）と正対する側の下面に盛り替えチャック６が設けられ、盛り替えチャック支持手段１３ａの左右端部部分には図１に示すように盛り替えチャック６に干渉しないようにしてストローク手段（油圧ジャッキ）４の本体４ａが２機装設され、更に定着用パイプｂと盛り替えチャック支持手段１３ａとの間には、押込みチャック支持手段５ａが配置されると共に押込みチャック支持手段５ａの定着用パイプｂと正対側の面には押込みチャック５が設けられ、押込みチャック支持手段５ａに前記ストローク手段（油圧ジャッキ）４のロッド1４が連結されている。
【００１６】
これにより、ストローク手段４が取付けられている盛り替えチャック支持手段１３ａは、支持体３１に取着された状態で反力付与部１３で移動不能とされる態様となり、またストローク手段４でストロークされる押込みチャック支持手段５ａは支持体３１の長さ方向にスライド可能となる。
【００１７】
前記盛り替えチャック支持手段１３ａ、押込みチャック支持手段５ａには、同図４に示すようにその中央に押込みシリンダ２の挿通孔２２が各々開孔されている。
【００１８】
前記吊ケーブルＣは、その先端にソケットｃ１を固着しており、そのソケットｃ１を除く所要長さが前記押込みシリンダ２で包皮されている。
【００１９】
前記押込みシリンダ２は、吊ケーブルＣを包皮する金属製のパイプ状に形成されており、そのシリンダ２の長さは、吊ケーブルＣの押込み動作するに必要な長さとして、その全長を一本で構成しても、ある長さのものを複数本繋ぎ合わせて構成しても良いが、この実施の形態では、二分割化された半割部材をボルト・ナットで締結して吊ケーブルＣを覆っている。
この押込みシリンダ２には、係合部（係合凹部）１２が軸方向に所定間隔をおいて形成されている。
【００２０】
また、前記押込みシリンダ２のその上端には、図１１に示すように解除可能な吊ケーブル固定手段７が設けられている。
この吊ケーブル固定手段７は、前記押込みシリンダ２の上端に油圧シリンダ１７を装設し、そのロッド１７ａが吊ケーブルＣを押圧して、そのロッド１７ａと押込みシリンダ２を構成する一半部の半割部材の内面とで吊ケーブルＣを挟持固定できるようになっている。
【００２１】
前記盛り替えチャック６、押込みチャック５は、詳述しないが共に図５〜図８に示すように、上下の平行するガイドで半円状の抱持部を有する半割体１６、１５が接近離間するようにガイド可能になっており、その半割体１６、１５を油圧ジャッキＪ１、Ｊ２で接近離間させて、前記押込みシリンダ２の係合部１２を係脱できるようになっている。
【００２２】
そして、２機のストローク手段４が反力手段３の反力を受けつつそのロッド１４が伸張して支持架台１の支持体３１をガイドにして押込みチャック支持手段５ａを押動する時には、図５、図６に示すように押込みチャック５を前記係合部１２に係合する一方、前記反力付与部１３で移動不能される盛り替えチャック６の前記係合部１２に対する係合を解除して行い、ロッド１４が収縮する時には、図７、図８に示すように盛り替えチャック６を前記係合部１２に係合させ、押込みチャック５の前記係合部１２に対する係合を解除して、盛り替え可能とし、前記押込みと両チャック５、６による係脱の盛り替え動作の繰り返しで、所定距離宛、定着用パイプｂ内に押込みシリンダ２を押込むようになっている。
【００２３】
前記支持架台１の前記支持体３１は、台本体２１に沿ってスイング量調整可能、左右移動量調整可能、上下移動量調整可能に構成され、またその支持体３１に対して前記押込みシリンダ２を抱持するように盛り替えチャック支持手段１３ａ、押込みチャック支持手段５ａは共に後付け可能になっており、その盛り替えチャック支持手段１３ａ、押込みチャック支持手段５ａに対して盛り替えチャック６、押込みチャック５が後付け可能になっている。
その具体的説明を詳述する。
【００２４】
支持架台１の台本体２１は、図１〜図４に示すように任意な断面形状の型鋼で形成された左右の横部材２１ａ、２１ａと上下部材２１ｂ、２１ｂとで矩形状に枠組し、その両横部材２１ａ、２１ａの下位に平行横部材２１ｃ、２１ｃを連結し、その平行横部材２１ｃ、２１ｃ下端を脚座１１から立設する支持脚１１ａに軸着する共に、平行横部材２１ｃ、２１ｃの中途部を各々油圧ジャッキＪ３、Ｊ３で上下回動角度調整可能に支持して、前記定着用パイプｂの中心線の延長上に沿うように傾斜角度に調整できるようになっている。
【００２５】
前記上下部材２１ｂ、２１ｂは、図１、図３に示すように左右の横部材２１ａ、２１ａ間に架設する任意断面形状の形鋼の中央部所要長さ範囲にステンレスを貼設した箱形鋼２１ｂ−１を被着して形成されており、該箱形鋼２１ｂ−１にスライド枠２１ｂ−２を左右方向にスライド量調整可能に嵌合し、そのスライド枠２１ｂ−２の下面に対向する方向に引っ掛け部２１ｂ−４、２１ｂ−４を折曲形成した連絡部２１ｂ−３を、回転ピン２１ｂ−５でスライド枠２１ｂ−２から突設する支持部２１ｂ−６に回転可能に連結している。
【００２６】
前記支持体３１は、図３に示すようにＩ形鋼からなり、前記する上下２対の引っ掛け部２１ｂ−４、２１ｂ−４にその上片３１ａを定着用パイプｂの延長線に沿って上下方向にスライド可能に係合させてある。
【００２７】
そして、図１、図３に示すように前記左右の横部材２１ａ、２１ａに尻端を軸着した上下２対の油圧ジャッキＪ４、Ｊ４のロッド各々をスライド枠２１ｂ−２に、また図１、図３に示すように支持体３１に尻端を軸着した油圧ジャッキＪ５のロッドを下位の前記スライド枠２１ｂ−２またはその支持部２１ｂ−６に各々連結することによって、支持架台１を構成している。
【００２８】
前記盛り替えチャック支持手段１３ａ、押込みチャック支持手段５ａは、詳細には上下に分割可能になっている。
そして、吊ケーブルＣの押込みに先立って定着用パイプｂの前方に離れて待機する支持架台１の支持体３１に、図１０に示すように盛り替えチャック支持手段１３ａのその上半部１３ａ−１を取着すると共に、押込みチャック支持手段５ａのその上半部５ａ−１を、前記支持体３１の下片３１ｂに前記ストローク手段４を介してスライド可能に係合させる。
【００２９】
これにより、左右の横部材２１ａ、２１ａに尻端を軸着した上下２対の油圧ジャッキＪ４、Ｊ４のロッドの伸張、収縮具合で台本体２１に沿って盛り替えチャック支持手段１３ａの前記上半部１３ａ−１と、押込みチャック支持手段の上半部５ａ−１とが支持体３１と前記台本体２１に沿って左右移動量調整可能及びスイング量調整可能になる（図９（ａ）（ｂ）（ｃ）（ｄ）参照）。
また、支持体３１に尻端を軸着した油圧ジャッキＪ５のロッドの伸張、収縮でその支持体３１は台本体２１に沿って上下移動量調整可能になる（図９（ｅ）参照）。
【００３０】
その支持架台１は、図１０に示すように押込みシリンダ２が挿入されている定着用パイプｂの傾斜角度に台本体２１を合わせ、レールＬを走行しながら、前記押込みシリンダ２が前記盛り替えチャック支持手段１３ａの上半部１３ａ−１及び押込みチャック支持手段５ａの上半部５ａ−１に形成されている挿通孔２２の一半部に収容されるように支持体３１をスイング及び／または左右移動するようになる。
【００３１】
そして、盛り替えチャック支持手段１３ａ、押込みチャック支持手段５ａの各々の下半部１３ａ−２、５ａ−２を取付けて前記挿通孔２２を構成し、盛り替えチャック６、押込みチャック５を各々その支持手段１３ａ、５ａに後付けし、支持手段１３ａ上面に反力付与部１３を位置決めするように定着用パイプｂの上端（後端）部分に取付座ｂ１とその反力付与部１３とに亘ってテンションロッド２３を連結して盛り替えチャック支持手段１３ａにその反力付与部１３に当接させ、吊ケーブル押込みの前準備が完了する。
【００３２】
従って、前記盛り替えチャック支持手段１３ａ、ストローク手段４、押込みチャック支持手段５ａ、盛り替えチャック６、押込みチャック５を有する支持体３１が、定着用パイプｂの吊橋（構築構造物）Ｂに対する交差角度（仰角）、定着用パイプｂの左右方向の振れ角誤差（鉛直方向に対する左右方向の傾斜誤差）、定着用パイプｂに対する支持架台１自体の移動走行位置誤差等を吸収するように、スイング調整、左右移動調整されるようになる。
【００３３】
尚、図示しないが、前記支持架台１を、レールＬを走行させて定着用パイプｂの傾斜角度に台本体２１を合わせ、支持体３１を、定着用パイプｂの吊橋（構築構造物）Ｂに対する交差角度（仰角）、定着用パイプｂの左右方向の振れ角誤差（鉛直方向に対する左右方向の傾斜誤差）、定着用パイプｂに対する支持架台１自体の移動走行位置誤差等を吸収するように、スイング調整、左右移動調整した後、盛り替えチャック支持手段１３ａ、盛り替えチャック６、ストローク手段４、押込みチャック支持手段５ａ、押込みチャック５等を各々後付けし、最後に押込みシリンダ２を上方から挿通孔２２に挿通させて定着用パイプｂに挿入し、最後にテンションロッド２３を連結して反力付与部１３を位置決めするようにしても良いものである。
【００３４】
以上のように構成されている吊ケーブルの押込み方法及び押込み装置では、構築構造物（吊橋）Ｂ桁エッジから斜め上方に露出する定着用パイプｂ部分に取付た取付座ｂ１と、反力付与部１３とに亘ってテンションロッド２３を連結して構成されている反力手段３の反力を利用して押込みチャック５を押込みシリンダ２に係合した状態で、ストローク手段４を作動させて押込みシリンダ２を所定距離定着用パイプｂに押し込んだ後、盛り替えチャック６を前記係合部１２に係合させ、押込みチャック５を開放して盛り替え、この押込みと両チャック５、６による係脱の盛り替え動作を前記吊ケーブルＣの先端に設けたソケットｃ１が前記定着用パイプｂ先端から突出するまで繰り返し、ソケットｃ１と定着用パイプｂ下端との間に戻り防止座Ｄを介在すると共に、戻り防止座Ｄとソケットｃ１との間に張力調整用プレート（シム）ｄ必要枚数を介在する。
この張力調整用プレート（シム）ｄは設計上の枚数を介在する。
【００３５】
そして、前記油圧ジャッキ１７を作動させて、図４に示すように吊ケーブル固定手段７で吊ケーブルＣを固定し、固定建築物（塔）とその吊ケーブル固定手段７との距離に基づく所定の引き力で吊ケーブル固定手段７上方の吊ケーブルＣを振動させて、その振幅で吊ケーブルＣの張力を測定し、その張力が固定建築物（塔）とその吊ケーブル固定手段７との距離及び構築構造物（吊橋）Ｂの重量から算出された所定の振幅を生成するように前記ソケットｃ１と戻り防止座Ｄとの間に介在される張力調整用プレート（シム）ｄの枚数を調整して、所定の張力に正確に修正し、吊ケーブルＣの緊張架設作業が終了する。
【００３６】
そして、構築構造物（吊橋）に斜め交差状に固定される定着用パイプｂの交差角度、同定着用パイプｂの鉛直方向に対する振れ角、レールＬで走行される支持架台１に対する定着用パイプｂの左右方向への相対的な位置誤差等に対応して、支持架台１を除く押込み装置の本体を配設して、吊ケーブルＣの押込みを実行することができる。
【００３７】
また、この押込み装置Ａは、構築構造物（吊橋）Ｂ上で盛り替えチャック支持手段１３ａ、押込みチャック支持手段５ａ各々の下半部１３ａ−２、５ａ−２、ストローク手段４、盛り替えチャック６、押込みチャック５を外し、テンションロッド２３を抜き取って反力付与部１３、取付座ｂ１を外し、支持架台１を後退させて、完全に撤去される。
【図面の簡単な説明】
【００３８】
【図１】本実施の形態吊ケーブルの押込み方法を実施する押込み装置の正面図。
【図２】同側面図。
【図３】図２の（３）−（３）線拡大断面図。
【図４】図２の側面断面図。
【図５】押込みチャックを係合部に係合している状態を示す要部の斜視図で一部切欠して示す。
【図６】所定距離押込んだ状態を示す要部の斜視図で一部切欠して示す。
【図７】盛り替えチャックを係合部に係合している状態を示す同要部の斜視図で一部切欠して示す。
【図８】ストローク手段を縮めた状態を示す同要部の斜視図で一部切欠して示す。
【図９】支持架台の台本体、支持体の調整状態を示す正面図で概略的に示し、（ａ）は、支持体を左側の横部材と平行に移動させた状態を、（ｂ）は、同支持体を右側の横部材と平行に移動させた状態を、（ｃ）は、同支持体を右側の横部材方向にスイングさせた状態を、（ｄ）は、同支持体を左側の横部材方向にスイングさせた状態を（ｅ）は、支持体を下方に移動させた状態を各々示す。
【図１０】支持架台を定着用パイプにセットする前の状態を示す側面図で一部切欠して示す。
【図１１】吊ケーブル固定手段を示し、（ａ）は正面図で一部切欠して示す。（ｂ）は、その（ｂ）−（ｂ）線断面図である。
【符号の説明】
【００３９】
Ｂ：構築構造物                      Ｃ：吊ケーブル
ｂ：定着用パイプ                  １３：反力付与部
３：反力手段                        ２：押込みシリンダ
１２：係合部                          ４：ストローク手段（油圧ジャッキ）
６：盛り替えチャック              ｃ１：ソケット
Ｄ：戻り防止座                      １：支持架台
５：押込みチャック                ｂ１：取付座
２３：テンションロッド              １１：脚座
２１：台本体                        ３１：支持体
Ａ：押込み装置                      ７：吊ケーブル固定手段
１７：張力調整用プレート        １３ａ：盛り替えチャック支持手段
５ａ：押込みチャック支持手段
【図１】
2006125094.tif 000003
【図２】
2006125094.tif 000004
【図３】
2006125094.tif 000005
【図４】
2006125094.tif 000006
【図５】
2006125094.tif 000007
【図６】
2006125094.tif 000008
【図７】
2006125094.tif 000009
【図８】
2006125094.tif 000010
【図９】
2006125094.tif 000011
【図１０】
2006125094.tif 000012
【図１１】
2006125094.tif 000013